(57)【特許請求の範囲】
【請求項１】
軸心方向の一端部に高圧タービン部が設けられて他端部に中圧タービン部が設けられる高中圧タービンと、
前記高中圧タービンと同軸上に配置される低圧タービンと、
前記低圧タービンで使用された蒸気を冷却して凝縮することで復水とする復水器と、
前記高圧タービン部から排出された蒸気により前記復水を加熱する給水加熱器と、
前記高圧タービン部から排出された蒸気の湿分を除去すると共に前記高圧タービン部の入口部に送られる蒸気の一部により加熱する高圧湿分分離加熱器と、
前記中圧タービン部から排出された蒸気の湿分を除去すると共に、前記高圧タービン部の入口部に送られる蒸気の一部と前記高圧タービン部の出口部から前記高圧湿分分離加熱器の入口部に送られる蒸気の一部により加熱する低圧湿分分離加熱器と、
前記高圧タービン部の出口部から前記給水加熱器と前記高圧湿分分離加熱器と前記低圧湿分分離加熱器とに前記高圧タービン部の排出蒸気をそれぞれ送給する蒸気配管と、
を備えることを特徴とする蒸気タービンプラント。
【請求項２】
前記給水加熱器は、復水の流れ方向に沿って直列に複数配置され、復水の流れ方向の最下流側に配置される前記給水加熱器は、前記高圧タービン部から排出された蒸気により復水を加熱することを特徴とする請求項１に記載の蒸気タービンプラント。
【請求項３】
前記給水加熱器は、低圧給水加熱器と高圧給水加熱器が復水の流れ方向に沿って直列に配置され、前記高圧給水加熱器は、前記高圧タービン部から排出された蒸気により復水を加熱することを特徴とする請求項１または請求項２に記載の蒸気タービンプラント。
【発明の詳細な説明】
【技術分野】
【０００１】
本発明は、原子力発電プラントや火力発電プラントなどに用いられる蒸気タービンプラントに関するものである。
【背景技術】
【０００２】
例えば、原子力発電プラントは、蒸気発生器で生成された蒸気を蒸気タービンに送り、接続された発電機を駆動して発電を行うものである。一般的に、蒸気タービンは、高圧タービンと中圧タービンと低圧タービンで構成され、高圧タービンで使用された蒸気は、高圧湿分分離加熱器により湿分が除去されて加熱されてから中圧タービンに送られ、中圧タービンで使用された蒸気は、低圧湿分分離加熱器により湿分が除去されて加熱されてから低圧タービンに送られる。そして、蒸気タービンで使用された蒸気は、復水器で冷却されて復水となり、この復水は、低圧給水加熱器や高圧給水加熱器などで加熱された後に蒸気発生器に戻される。
【０００３】
このような原子力発電プラントとしては、例えは、下記特許文献１に記載されたものがある。
【先行技術文献】
【特許文献】
【０００４】
【特許文献１】特開昭６２−２１８６０６号公報
【発明の概要】
【発明が解決しようとする課題】
【０００５】
従来の原子力発電プラントでは、高圧給水加熱器は、高圧湿分分離加熱器により湿分が除去されて加熱された蒸気や中圧タービンから抽気された蒸気により、復水器から排出された復水を加熱している。そのため、高圧湿分分離加熱器からの蒸気を使用する場合には、高圧湿分分離加熱器での圧力損失が大きくなり、結果として、復水を加熱するための蒸気の有効利用がなされていない。
【０００６】
本発明は、上述した課題を解決するものであり、熱損失を低減して性能の向上を図る蒸気タービンプラントを提供することを目的とする。
【課題を解決するための手段】
【０００７】
上記の目的を達成するための本発明の蒸気タービンプラントは、軸心方向の一端部に高圧タービン部が設けられて他端部に中圧タービン部が設けられる高中圧タービンと、前記高中圧タービンと同軸上に配置される低圧タービンと、前記低圧タービンで使用された蒸気を冷却して凝縮することで復水とする復水器と、前記高圧タービン部から排出された蒸気により前記復水を加熱する給水加熱器と、を備えることを特徴とするものである。
【０００８】
従って、蒸気が高圧タービン部、中圧タービン部、低圧タービンの順に供給されて各タービンを駆動し、低圧タービンで使用された蒸気が復水器で冷却されて凝縮することで復水となり、給水加熱器で加熱されて蒸気となる。このとき、給水加熱器は、高圧タービン部から排出された蒸気が直接供給されて復水を加熱することから、蒸気の有効利用を図ることができ、熱損失を低減して性能の向上を図ることができる。
【０００９】
本発明の蒸気タービンプラントでは、前記給水加熱器は、復水の流れ方向に沿って直列に複数配置され、復水の流れ方向の最下流側に配置される前記給水加熱器は、前記高圧タービン部から排出された蒸気により復水を加熱することを特徴としている。
【００１０】
従って、高圧タービン部からの蒸気を最下流側の給水加熱器に送り、この給水加熱器が高圧タービン部からの蒸気により復水を加熱することから、給水加熱器で蒸気により加熱される復水を効率良く所望の温度まで加熱することができる。
【００１１】
本発明の蒸気タービンプラントでは、前記給水加熱器は、低圧給水加熱器と高圧給水加熱器が復水の流れ方向に沿って直列に配置され、前記高圧給水加熱器は、前記高圧タービン部から排出された蒸気により復水を加熱することを特徴としている。
【００１２】
従って、高圧タービン部からの蒸気を下流側の高圧給水加熱器に送り、この高圧給水加熱器が高圧タービン部からの蒸気により復水を加熱することから、高圧給水加熱器で蒸気により加熱される復水を効率良く所望の温度まで加熱することができる。
【００１３】
本発明の蒸気タービンプラントでは、前記中圧タービン部から排出された蒸気の湿分を除去すると共に、前記高圧タービンから排出された蒸気により加熱する低圧湿分分離加熱器が設けられることを特徴としている。
【００１４】
従って、低圧湿分分離加熱器は、中圧タービン部から排出された蒸気の湿分を除去して高圧タービンから排出された蒸気により加熱することから、更なる蒸気の有効利用を図ることで、熱損失を低減することができる。
【発明の効果】
【００１５】
本発明の蒸気タービンプラントによれば、高圧タービン部から排出された蒸気により復水を加熱する給水加熱器を設けるので、蒸気の有効利用を図ることができ、熱損失を低減して性能の向上を図ることができる。
【図面の簡単な説明】
【００１６】
【図１】図１は、第１実施形態の原子力発電プラントを表す概略構成図である。
【図２】図２は、第１実施形態の蒸気タービンプラントにおける復水と蒸気の流れを表す概略図である。
【図３】図３は、第２実施形態の蒸気タービンプラントにおける復水と蒸気の流れを表す概略図である。
【発明を実施するための形態】
【００１７】
以下に添付図面を参照して、本発明の蒸気タービンプラントの好適な実施形態を詳細に説明する。なお、この実施形態により本発明が限定されるものではなく、また、実施形態が複数ある場合には、各実施形態を組み合わせて構成するものも含むものである。
【００１８】
［第１実施形態］
図１は、第１実施形態の原子力発電プラントを表す概略構成図である。
【００１９】
第１実施形態の原子炉は、軽水を原子炉冷却材及び中性子減速材として使用し、炉心全体にわたって沸騰しない高温高圧水とし、この高温高圧水を蒸気発生器に送って熱交換により蒸気を発生させ、この蒸気をタービン発電機へ送って発電する加圧水型原子炉（ＰＷＲ：Pressurized  Water  Reactor）である。
【００２０】
第１実施形態の加圧水型原子炉を有する原子力発電プラントにおいて、図１に示すように、原子炉格納容器１１は、内部に加圧水型原子炉１２及び蒸気発生器１３が格納されており、この加圧水型原子炉１２と蒸気発生器１３とは配管１４，１５を介して連結されており、配管１４に加圧器１６が設けられ、配管１５に一次冷却水ポンプ１７が設けられている。この場合、減速材及び一次冷却水（冷却材）として軽水を用い、炉心部における一次冷却水の沸騰を抑制するために、一次冷却系統は加圧器１６により１５０〜１６０気圧程度の高圧状態を維持するように制御している。従って、加圧水型原子炉１２にて、燃料（原子燃料）として低濃縮ウランまたはＭＯＸにより一次冷却水として軽水が加熱され、高温の一次冷却水が加圧器１６により所定の高圧に維持した状態で配管１４を通して蒸気発生器１３に送られる。この蒸気発生器１３では、高温高圧の一次冷却水と二次冷却水との間で熱交換が行われ、冷やされた一次冷却水は配管１５を通して加圧水型原子炉１２に戻される。
【００２１】
蒸気発生器１３は、蒸気配管１８を介して蒸気タービン１９と連結されており、この蒸気配管１８に主蒸気隔離弁２０が設けられている。蒸気タービン１９は、高中圧タービン２１と２個の低圧タービン２２，２３を有しており、同軸上に発電機２４が接続されている。そして、高中圧タービン２１は、高圧タービン部２５と中圧タービン部２６を有し、高圧タービン部２５と中圧タービン部２６は、その間に高圧湿分分離加熱器２７が設けられている。また、高中圧タービン２１（中圧タービン部２６）と低圧タービン２２，２３とは、その間に低圧湿分分離加熱器２８が設けられている。即ち、蒸気発生器１３からの蒸気配管１８は、高圧タービン部２５の入口部に接続され、高圧タービン部２５の出口部から高圧湿分分離加熱器２７の入口部まで蒸気配管２９が接続され、高圧湿分分離加熱器２７の出口部から中圧タービン部２６の入口部まで蒸気配管３０が接続されている。また、中圧タービン部２６の出口部から低圧湿分分離加熱器２８の入口部まで蒸気配管３１が接続され、低圧湿分分離加熱器２８の出口部から低圧タービン２２，２３の各入口部まで蒸気配管３２が接続されている。
【００２２】
蒸気タービン１９は、低圧タービン２２，２３の下方に復水器３３，３４が設けられている。この復水器３３，３４は、低圧タービン２２，２３で使用された蒸気を冷却水により冷却して凝縮することで復水とする。この冷却水としては海水が適用され、復水器３３，３４は、冷却水を給排する取水管３５及び排水管３６が連結されている。この取水管３５は、循環水ポンプ３７を有し、排水管３６と共に他端部が海中に配置されている。
【００２３】
そして、この復水器３３，３４は、給水配管３８が接続されており、この給水配管３８に復水ポンプ３９、グランドコンデンサ４０、復水脱塩装置４１、復水ブースタポンプ４２、低圧給水加熱器４３，４４，４５，４６が復水の流れ方向に沿って順に設けられている。ここで、第１低圧給水加熱器４３と第２低圧給水加熱器４４は、復水器３３，３４内に設けられ、復水が低圧タービン２２，２３で使用された蒸気により加熱される。また、第３低圧給水加熱器４５と第４低圧給水加熱器４６は、復水器３３，３４外に設けられ、第３低圧給水加熱器４５と第４低圧給水加熱器４６は、復水が低圧タービン２２，２３から抽気された蒸気により加熱される。
【００２４】
また、給水配管３８は、第４低圧給水加熱器４６より下流側に脱気器４７、主給水ポンプ４８、高圧給水加熱器４９，５０、主給水制御弁５１が復水の流れ方向に沿って順に設けられている。
【００２５】
そのため、蒸気発生器１３により高温高圧の一次冷却水と熱交換を行って生成された蒸気は、蒸気配管１８を通して蒸気タービン１９に送られ、高中圧タービン２１と各低圧タービン２２，２３が稼働することで回転力を得て、この回転力により発電機２４を駆動して発電を行う。このとき、蒸気発生器１３からの蒸気は、高圧タービン部２５を駆動した後、高圧湿分分離加熱器２７により蒸気に含まれる湿分が除去されると共に加熱されてから中圧タービン部２６を駆動する。また、中圧タービン部２６を駆動した蒸気は、低圧湿分分離加熱器２８により蒸気に含まれる湿分が除去されると共に加熱されてから各低圧タービン２２，２３を駆動する。そして、低圧タービン２２，２３を駆動した蒸気は、復水器３３，３４で海水を用いて冷却されて復水となり、復水ポンプ３９により給水配管３８を流れ、グランドコンデンサ４０、復水脱塩装置４１、低圧給水加熱器４３，４４，４５，４６、脱気器４７、高圧給水加熱器４９，５０などを通して蒸気発生器１３に戻される。
【００２６】
ここで、高中圧タービン２１、低圧タービン２２，２３、高圧湿分分離加熱器２７、低圧湿分分離加熱器２８、高圧給水加熱器４９，５０などにおける復水と蒸気の流れについて説明する。図２は、第１実施形態の蒸気タービンプラントにおける復水と蒸気の流れを表す概略図である。
【００２７】
図２に示すように、蒸気配管１８は、基端部が蒸気発生器１３に接続され、先端部が高中圧タービン２１における高圧タービン部２５の入口部に接続されている。蒸気配管（第１蒸気ライン）２９は、基端部が高圧タービン部２５の出口部に接続され、先端部が高圧湿分分離加熱器２７の入口部に接続されている。蒸気配管３０は、基端部が高圧湿分分離加熱器２７の出口部に接続され、先端部が中圧タービン部２６の入口部に接続されている。蒸気配管３１は、基端部が中圧タービン部２６の出口部に接続され、先端部が低圧湿分分離加熱器２８の入口部に接続されている。蒸気配管３２は、基端部が低圧湿分分離加熱器２８の出口部に接続され、先端部が低圧タービン２２，２３の各入口部に接続されている。
【００２８】
また、給水配管３８は、基端部が復水器３３，３４の出口部に接続され、先端部が蒸気発生器１３に接続されている。この給水配管３８は、給水（復水）の流れ方向に沿って復水ポンプ３９、低圧給水加熱器４３，４４，４５，４６、脱気器４７、主給水ポンプ４８、高圧給水加熱器４９，５０が配置されている。
【００２９】
蒸気配管１８は、蒸気配管６１，６２が分岐され、蒸気配管６１は、高圧湿分分離加熱器２７に接続され、蒸気配管６２は、低圧湿分分離加熱器２８に接続されている。高圧湿分分離加熱器２７は、蒸気発生器１３から蒸気配管６１により送られた蒸気を加熱源として、高圧タービン部２５から排出されて蒸気配管２９により送られた蒸気を加熱する。また、低圧湿分分離加熱器２８は、蒸気発生器１３から蒸気配管６２により送られた蒸気を加熱源として、中圧タービン部２６から排出されて蒸気配管３１により送られた蒸気を加熱する。
【００３０】
蒸気配管２９は、２つの蒸気配管（第２蒸気ライン、第３蒸気ライン）６３，６４が分岐されている。蒸気配管６３は、第２高圧給水加熱器５０に接続され、蒸気配管６４は、低圧湿分分離加熱器２８に接続されている。第２高圧給水加熱器５０は、高圧タービン部２５から排出されて蒸気配管６３により送られた蒸気を加熱源として、給水配管３８により蒸気発生器１３に送る給水を加熱する。また、低圧湿分分離加熱器２８は、高圧タービン部２５から排出されて蒸気配管６４により送られた蒸気を加熱源として、中圧タービン部２６から排出されて蒸気配管３１により送られた蒸気を加熱する。
【００３１】
中圧タービン部２６は、蒸気配管６５の基端部が接続され、この蒸気配管６５は、先端部が第１高圧給水加熱器４９に接続されている。第１高圧給水加熱器４９は、中圧タービン部２６から抽気されて蒸気配管６５により送られた蒸気を加熱源として、給水配管３８により蒸気発生器１３に送る給水を加熱する。蒸気配管３１は、蒸気配管６６が分岐され、この蒸気配管６６は、脱気器４７に接続されている。脱気器４７は、中圧タービン部２６から排出されて蒸気配管６６により送られた蒸気を加熱源として、給水配管３８を流れる給水を加熱する。即ち、脱気器４７は、中圧タービン部２６から排出された蒸気によりこの復水を加熱しつつ、復水から溶存酸素や不凝結ガス（アンモニアガス）などの不純物を除去する。
【００３２】
また、各湿分分離加熱器２７，２８は、蒸気が冷却されて凝縮することからドレン（水）が発生する。そのため、高圧湿分分離加熱器２７は、ドレン配管７１，７２が接続され、各ドレン配管７１，７２が第２高圧給水加熱器５０に接続されている。低圧湿分分離加熱器２８は、ドレン配管７３，７４，７５が接続され、ドレン配管７３が脱気器４７に接続され、ドレン配管７４が第１高圧給水加熱器４９に接続され、ドレン配管７５が第２高圧給水加熱器５０に接続されている。
【００３３】
更に、各高圧給水加熱器４９，５０は、蒸気が復水を加熱して凝縮することからドレン（水）が発生する。そのため、第２高圧給水加熱器５０から第１高圧給水加熱器４９までドレン配管７６が接続され、第１高圧給水加熱器４９から脱気器４７までドレン配管７７が接続されている。
【００３４】
なお、図示しないが、各低圧給水加熱器４３，４４，４５，４６は、低圧タービン２２，２３から抽気された蒸気を加熱源として、給水配管３８を流れる給水を加熱する。また、各低圧給水加熱器４３，４４，４５，４６は、蒸気が復水を加熱して凝縮することからドレン（水）が発生するため、図示しないドレン配管が設けられており、回収されたドレンは、ドレンポンプにより給水配管３８に送られる。
【００３５】
そのため、蒸気発生器１３から蒸気配管１８を通って送られる蒸気は、高中圧タービン２１に送られて高圧タービン部２５を駆動した後、蒸気配管２９により高圧湿分分離加熱器２７に送られる。高圧湿分分離加熱器２７は、高圧タービン部２５から排出された蒸気から湿分を除去した後、この蒸気を蒸気配管６１から送られた蒸気により加熱する。高圧湿分分離加熱器２７で処理された蒸気は、蒸気配管３０により中圧タービン部２６に送られて駆動した後、蒸気配管３１により低圧湿分分離加熱器２８に送られる。低圧湿分分離加熱器２８は、中圧タービン部２６から排出された蒸気から湿分を除去した後、この蒸気を蒸気配管６２，６４から送られた蒸気により加熱する。低圧湿分分離加熱器２８で処理された蒸気は、蒸気配管３２により低圧タービン２２，２３に送られて駆動する。
【００３６】
このとき、中圧タービン部２６から抽気された蒸気は、蒸気配管６５により第１高圧給水加熱器４９に送られ、給水配管３８を流れる給水を加熱する。また、高圧タービン部２５から排気された蒸気は、蒸気配管６３により第２高圧給水加熱器５０に送られ、給水配管３８を流れる給水を加熱する。即ち、高圧タービン部２５から排気された蒸気は、そのほとんど（約９０％）が蒸気配管２９により高圧湿分分離加熱器２７に送られ、一部（約５％）が蒸気配管６４により低圧湿分分離加熱器２８に送られ、一部（約５％）が蒸気配管６３により第２高圧湿分分離加熱器５０に送られる。そのため、高圧湿分分離加熱器２７に送られる蒸気量が減少し、高圧湿分分離加熱器２７での圧力損失が低減されると共に、高圧湿分分離加熱器２７の小型化が可能となる。また、高圧タービン部２５に蒸気を抽気するための構造を確保する必要がなく、構成の複雑化を防止することができる。
【００３７】
このように第１実施形態の蒸気タービンプラントにあっては、軸心方向の一端部に高圧タービン部２５が設けられて他端部に中圧タービン部２６が設けられる高中圧タービン２１と、高中圧タービン２１と同軸上に配置される低圧タービン２２，２３と、低圧タービン２２，２３で使用された蒸気を冷却して凝縮することで復水とする復水器３３，３４と、高圧タービン部２５から排出された蒸気により復水を加熱する第２高圧給水加熱器５０とを設けている。
【００３８】
従って、蒸気発生器１３からの蒸気が高中圧タービン２１の高圧タービン部２５及び中圧タービン部２６から低圧タービン２２，２３に送られて駆動し、低圧タービン２２，２３で使用された蒸気が復水器３３，３４で冷却されて凝縮することで復水となり、低圧給水加熱器４３，４４，４５，４６及び高圧給水加熱器４９，５０で加熱されて蒸気となり、蒸気発生器１３に戻される。このとき、第２高圧給水加熱器５０は、高圧タービン部２５から排出された高温で高圧の蒸気が直接供給されて復水を加熱することから、蒸気発生器１３に戻される蒸気を所望の温度まで加熱することができ、蒸気の有効利用を図ることができ、熱損失を低減して性能の向上を図ることができる。
【００３９】
第１実施形態の蒸気タービンプラントでは、復水の流れ方向の最下流側に配置される第２高圧給水加熱器５０にて、高圧タービン部２５から排出された蒸気により復水を加熱している。従って、第２高圧給水加熱器５０で蒸気により加熱される給水（復水）を効率良く所望の温度まで加熱することができる。
【００４０】
第１実施形態の蒸気タービンプラントでは、復水の流れ方向の最下流側に配置される第２高圧給水加熱器５０は、高圧タービン部２５から排出された蒸気により復水を加熱し、復水の流れ方向の最下流部の手前側に配置される第１高圧給水加熱器４９は、中圧タービン部２６から抽気された蒸気により復水を加熱する。従って、各高圧給水加熱器４９，５０で蒸気により加熱される復水を効率良く所望の温度まで加熱することができる。
【００４１】
第１実施形態の蒸気タービンプラントでは、第４低圧給水加熱器４６と第１高圧給水加熱器４９との間に復水から不純物を除去する脱気器４７を配置し、脱気器４７は、中圧タービン部２６から排出された蒸気により復水を加熱する。従って、脱気器４７で蒸気により加熱される復水を効率良く所望の温度まで加熱することができる。
【００４２】
第１実施形態の蒸気タービンプラントでは、高圧タービン部２５からの蒸気の湿分を除去する高圧湿分分離加熱器２７と、高圧タービン部２５からの蒸気を高圧湿分分離加熱器２７に送る蒸気配管（第１蒸気ライン）２９と、蒸気配管２９から分岐して蒸気を加熱源として第２高圧給水加熱器５０へ送給する蒸気配管（第２蒸気ライン）６３とを設けている。従って、高圧タービン部２５からの蒸気を高圧湿分分離加熱器２７に送る蒸気配管２９から分岐して蒸気を第２高圧給水加熱器５０へ送給する蒸気配管６３を設けることから、高圧湿分分離加熱器２７に送る蒸気量が減少し、高圧湿分分離加熱器２７での圧力損失が低減され、高圧湿分分離加熱器２７の性能の向上を図ることができると共に、小型化を図ることができる。
【００４３】
第１実施形態の蒸気タービンプラントでは、中圧タービン部２６からの蒸気の湿分を除去する低圧湿分分離加熱器２８と、蒸気配管２９から分岐して蒸気を加熱源として低圧湿分分離加熱器２８へ送る蒸気配管（第３蒸気ライン）６４を設けている。従って、蒸気配管２９から分岐して蒸気配管６４を設けることから、高圧湿分分離加熱器２７に送る蒸気量が更に減少し、高圧湿分分離加熱器２７での圧力損失が低減され、高圧湿分分離加熱器２７の性能の向上を図ることができると共に、更なる小型化を図ることができる。
【００４４】
［第２実施形態］
図３は、第２実施形態の蒸気タービンプラントにおける復水と蒸気の流れを表す概略図である。
【００４５】
第２実施形態において、図３に示すように、給水配管３８は、基端部が復水器３３，３４の出口部に接続され、先端部が蒸気発生器１３に接続されている。この給水配管３８は、給水（復水）の流れ方向に沿って復水ポンプ３９、低圧給水加熱器４３，４４，４５，４６、脱気器４７、主給水ポンプ４８、高圧給水加熱器５２，４９，５０が配置されている。
【００４６】
蒸気配管１８から分岐した蒸気配管６１は、高圧湿分分離加熱器２７に接続され、蒸気配管６２は、低圧湿分分離加熱器２８に接続されている。蒸気配管２９から分岐した蒸気配管６３は、第２高圧給水加熱器５０に接続され、蒸気配管６４は、低圧湿分分離加熱器２８に接続されている。中圧タービン部２６から蒸気を抽気する蒸気配管６５は、第３高圧給水加熱器５２に接続されている。蒸気配管３１から分岐した蒸気配管６６は、脱気器４７に接続されている。また、中圧タービン部２６から蒸気を抽気する蒸気配管６７は、第１高圧給水加熱器４９に接続されている。この場合、蒸気配管６７は、蒸気配管６５より高圧高温の蒸気を抽気する。
【００４７】
高圧湿分分離加熱器２７は、ドレン配管７１，７２が接続され、各ドレン配管７１，７２が第２高圧給水加熱器５０に接続されている。低圧湿分分離加熱器２８は、ドレン配管７３，７４，７５が接続され、ドレン配管７３が脱気器４７に接続され、ドレン配管７４が第１高圧給水加熱器４９に接続され、ドレン配管７５が第２高圧給水加熱器５０に接続されている。また、第２高圧給水加熱器５０から第１高圧給水加熱器４９までドレン配管７６が接続され、第１高圧給水加熱器４９から第３高圧給水加熱器５２までドレン配管７７が接続され、第３高圧給水加熱器５２から脱気器４７までドレン配管７８が接続されている。
【００４８】
なお、本実施形態の蒸気タービンプラントの作動は、前述した第１実施形態の蒸気タービンプラントとほぼ同様であることから、説明は省略する。
【００４９】
このように第２実施形態の蒸気タービンプラントにあっては、蒸気により給水（復水）を加熱する複数の高圧給水加熱器４９，５０，５２を設け、高圧タービン部２５から排出された蒸気を最下流側の第２高圧給水加熱器５０に供給している。
【００５０】
従って、第２高圧給水加熱器５０は、高圧タービン部２５から排出された高温で高圧の蒸気が直接供給されて復水を加熱することから、蒸気発生器１３に戻される蒸気を所望の温度まで加熱することができ、蒸気の有効利用を図ることができ、熱損失を低減して性能の向上を図ることができる。
【００５１】
なお、上述した実施形態では、２個または３個の高圧給水加熱器４９，５０，５２を設けたが、その配置や個数は各実施形態に限定されるものではなく、蒸気タービンプラントの規模などに応じて適宜設定すればよいものである。
【００５２】
また、上述した実施形態では、４個の低圧給水加熱器４３，４４，４５，４６を設け、２個の低圧給水加熱器４３，４４を復水器３３，３４内に配置し、２個の低圧給水加熱器４５，４６を復水器３３，３４の外に配置したが、その配置や数は実施形態に限定されるものではなく、蒸気タービンプラントの規模などに応じて適宜設定すればよいものである。
【００５３】
また、上述した実施形態では、高圧湿分分離加熱器２７を用いて高圧タービンからの排出蒸気の湿分を除去しているが、加熱機能のない湿分分離器であってもよい。
【００５４】
また、上述した実施形態では、本発明の蒸気タービンプラントを、原子力発電プラントに適用して説明したが、これに限定されるものではなく、例えば、火力発電プラントなどに適用することもできる。
【符号の説明】
【００５５】
１２  加圧水型原子炉
１３  蒸気発生器
１８，６１，６２，６３，６４，６５，６６  蒸気配管
１９  蒸気タービン
２１  高中圧タービン
２２，２３  低圧タービン
２４  発電機
２５  高圧タービン部
２６  中圧タービン部
２７  高圧湿分分離加熱器
２８  低圧湿分分離加熱器
２９，３０，３１，３２  蒸気配管
３３，３４  復水器
３８  給水配管
４３  第１低圧給水加熱器
４４  第２低圧給水加熱器
４５  第３低圧給水加熱器
４６  第４低圧給水加熱器
４７  脱気器
４９  第１高圧給水加熱器
５０  第２高圧給水加熱器
５２  第３高圧給水加熱器
７１，７２，７３，７４，７５，７６，７７  ドレン配管
【図１】
0006739998.tif 000002
【図２】
0006739998.tif 000003
【図３】
0006739998.tif 000004